【手続補正書】
【提出日】平成23年12月28日(2011.12.28)
【手続補正１】
【補正対象書類名】特許請求の範囲
【補正対象項目名】全文
【補正方法】変更
【補正の内容】
【特許請求の範囲】
【請求項１】
コンテンツの放送源を識別するための方法であって、
ソースからのコンテンツ・セグメントのレンディションであるコンテンツ・サンプルを受信することであって、前記コンテンツ・サンプルが、前記コンテンツ・サンプルのサンプリング時刻に対応するタイムスタンプに関連付けられること、
前記コンテンツ・サンプルの特性を決定すること、
前記コンテンツ・サンプルの前記特性と、知られているソースによってレンダリングされたコンテンツから取られたソース・サンプルの特性との時間的比較を実施することであって、前記ソース・サンプルが、前記コンテンツ・サンプルのほぼ前記サンプリング時刻に取られていること、および
前記比較に基づいて、前記知られているソースが前記コンテンツ・セグメントをレンダリングしたと決定すること
を備える方法。
【請求項２】
前記コンテンツ・サンプルの前記特性と、前記ソース・サンプルの特性との時間的比較を実施することが、
前記サンプリング時刻を参照して関連する時点の前記コンテンツ・サンプルの前記特性を、ほぼ一致する時点の前記ソース・サンプルの特性と比較することを備える請求項１に記載の方法。
【請求項３】
前記コンテンツ・セグメント内の時間位置を示す、前記コンテンツ・サンプルの推定された時間オフセットを識別すること、および
前記コンテンツ・サンプルの前記推定された時間オフセットを前記ソース・サンプルの時間オフセットと比較すること
をさらに備える請求項１に記載の方法。
【請求項４】
前記コンテンツ・サンプルの前記特性と、知られているソースによってレンダリングされたコンテンツから取られた複数のソース・サンプルの特性との複数の時間的比較を実施することであって、前記複数のソース・サンプルが、前記コンテンツ・サンプルのほぼ前記サンプリング時刻に取られていること、および
前記比較に基づいて、前記知られているソースのうちの１つを、前記コンテンツ・セグメントがそこからレンダリングされたソースであると識別すること、
をさらに備える請求項１に記載の方法。
【請求項５】
前記コンテンツ・サンプルの前記特性に最も密接に一致する特性を有する前記複数のソース・サンプルからサンプルを識別すること、および
前記識別されたサンプルがそこから取られた、知られているソースを、前記コンテンツ・サンプルがそこからレンダリングされたソースであると識別すること、
をさらに備える請求項４に記載の方法。
【請求項６】
前記コンテンツ・サンプルの識別を、前記ソース・サンプルの識別と比較することをさらに備える請求項１に記載の方法。
【請求項７】
ソースからのコンテンツ・セグメントのレンディションである前記コンテンツ・サンプルをクライアント・デバイスから受信することをさらに備える請求項１に記載の方法。
【請求項８】
前記知られているソースを識別する情報を前記クライアント・デバイスに送ることをさらに備える請求項７に記載の方法。
【請求項９】
前記情報が広告を含む請求項８に記載の方法。
【請求項１０】
前記知られているソースのそれぞれによってレンダリングされたコンテンツからの複数のソース・サンプルを記録すること、および
前記複数のソース・サンプルのそれぞれが記録された時刻を記録すること、
をさらに備える請求項４に記載の方法。
【請求項１１】
前記コンテンツ・サンプルが、前記ソース上のプログラムの移行を備えるコンテンツ・セグメントのレンディションであり、
前記コンテンツ・サンプル内の前記移行を、知られているソースによってレンダリングされたコンテンツから取られたソース・サンプル内の移行と比較すること、および
前記コンテンツ・サンプル内の前記移行と、ソース・サンプル内の少なくとも１つの移行との間のコンテンツ・アライメントを識別すること
をさらに備える請求項１に記載の方法。
【請求項１２】
オーディオ・サンプル上に重ね合わされた非音楽コンテンツを含む、前記コンテンツ・サンプルのばらつきを識別すること、および
前記コンテンツ・サンプルの前記ばらつきを前記ソース・サンプルのばらつきと比較すること
をさらに備える請求項１に記載の方法。
【請求項１３】
前記コンテンツ・サンプル内のコンテンツの識別の変化を識別すること、
前記コンテンツ・サンプルの第１の識別を前記ソース・サンプルの識別と比較すること、および
前記コンテンツ・サンプルの第２の識別を前記ソース・サンプルの識別と比較すること
をさらに備える請求項１に記載の方法。
【請求項１４】
前記コンテンツ・サンプルの伸張係数を決定することであって、前記伸張係数が、前記コンテンツ・サンプルがレンダリングされた速度と前記コンテンツ・セグメントの元の再生の速度との差を示すこと、および
前記コンテンツ・サンプルの前記伸張係数を前記ソース・サンプルの伸張係数と比較すること
をさらに備える請求項１に記載の方法。
【請求項１５】
ソースからのコンテンツ・セグメントのレンディションであるコンテンツ・サンプルを受信することであって、前記コンテンツ・サンプルが、前記コンテンツ・サンプルのサンプリング時刻に対応するタイムスタンプに関連付けられること、
前記コンテンツ・サンプルの特性を決定すること、
前記コンテンツ・サンプルの前記特性と、知られているソースによってレンダリングされたコンテンツから取られたソース・サンプルの特性との時間的比較を実施することであって、前記ソース・サンプルが、前記コンテンツ・サンプルのほぼ前記サンプリング時刻に取られていること、および
前記比較に基づいて、前記知られているソースが前記コンテンツ・セグメントをレンダリングしたと決定すること
を備える操作をコンピューティング・デバイスに実施させる、前記コンピューティング・デバイスによって実行可能な命令が格納された非一時的コンピュータ読取り可能媒体。
【請求項１６】
前記コンテンツ・サンプルの前記特性と、前記ソース・サンプルの特性との時間的比較を実施することが、
前記サンプリング時刻を参照して関連する時点の前記コンテンツ・サンプルの前記特性を、ほぼ一致する時点の前記ソース・サンプルの特性と比較することを備える請求項１５に記載の非一時的コンピュータ読取り可能媒体。
【請求項１７】
前記コンテンツ・サンプルの前記特性と、知られているソースによってレンダリングされたコンテンツから取られた複数のソース・サンプルの特性との複数の時間的比較を実施することであって、前記複数のソース・サンプルが、前記コンテンツ・サンプルのほぼ前記サンプリング時刻に取られていること、および
前記比較に基づいて、前記知られているソースのうちの１つが、前記コンテンツ・セグメントがそこからレンダリングされたソースであると識別すること
を備える操作を前記コンピューティング・デバイスに実施させる命令をさらに備える請求項１５に記載の非一時的コンピュータ読取り可能媒体。
【請求項１８】
前記コンテンツ・サンプルの識別を、前記ソース・サンプルの識別と比較することを備える操作を前記コンピューティング・デバイスに実施させる命令をさらに備える請求項１５に記載の非一時的コンピュータ読取り可能媒体。
【請求項１９】
ソースからのコンテンツ・セグメントのレンディションである前記コンテンツ・サンプルをクライアント・デバイスから受信することを備える操作を前記コンピューティング・デバイスに実施させる命令をさらに備える請求項１５に記載の非一時的コンピュータ読取り可能媒体。
【請求項２０】
前記知られているソースを識別する情報を前記クライアント・デバイスに送ることを備える操作を前記コンピューティング・デバイスに実施させる命令をさらに備える請求項１５に記載の非一時的コンピュータ読取り可能媒体。
【請求項２１】
それぞれの知られているソースによってレンダリングされたコンテンツのソース・サンプルを受信するように構成された放送チャネル・サンプラと、
ソースからのコンテンツ・セグメントのレンディションであるコンテンツ・サンプルをクライアント・デバイスから受信し、前記コンテンツ・サンプルの特性と、前記コンテンツ・サンプルのほぼサンプリング時刻に取られた前記ソース・サンプルの特性との時間的比較を実施し、前記比較に基づいて、前記コンテンツ・セグメントがそこからレンダリングされた、知られているソースを識別するように構成されたプロセッサと
を備える監視局。
【請求項２２】
前記放送チャネル・サンプラが、前記ソース・サンプルを生成するために、前記それぞれの知られているソースによってレンダリングされた前記コンテンツをサンプリングするように構成される請求項２１に記載の監視局。
【請求項２３】
前記放送チャネル・サンプラが、前記それぞれの知られているソースによってレンダリングされた前記コンテンツを連続してサンプリングするように構成される請求項２２に記載の監視局。
【請求項２４】
前記プロセッサが、前記コンテンツ・サンプルの識別を、前記ソース・サンプルの識別と比較し、前記コンテンツ・サンプルと前記ソース・サンプルの一致する識別に基づいて、前記コンテンツ・セグメントがそこからレンダリングされた前記知られているソースを識別するようにさらに構成される請求項２２に記載の監視局。